(57)【特許請求の範囲】
【請求項１】
遊技場に設置され、有価価値データの記録された記録媒体の残高を精算する精算機と、前記精算機と通信ラインを介して双方向にデータ通信可能に接続され、データを管理するためのデータ管理装置とを含む遊技場データ管理システムにおいて、
前記精算機は、ＲＦＩＤ通信機能を有する無線通信装置との間でＲＦＩＤによる無線データ通信が可能な固定通信装置を備え、
前記固定通信装置は、
前記無線データ通信のための情報を記憶する情報記憶手段と、
前記無線通信装置から受信した第１のコードと前記情報記憶手段から読み出した情報とを照合し、それらの一致が確認されると、特定の前記無線通信装置からのアクセスであると判定するコード照合手段と、
前記コード照合手段により特定の前記無線通信装置からのアクセスであると判定された場合に、前記無線通信装置から第２のコードを受信し、前記データ管理装置に対して当該第２のコードに応じたデータの送信を要求する信号を前記通信ラインを介して送信する要求信号送信手段とを備え、
前記データ管理装置は、前記要求信号送信手段からの信号を受信し、前記第２のコードに応じたデータを前記通信ラインを介して返信するデータ返信手段を備えていることを特徴とする遊技場データ管理システム。
【請求項２】
前記第２のコードに応じたデータは、前記精算機のメンテナンスデータであり、
前記固定通信装置は、
前記データ管理装置の前記データ返信手段から受信したデータを記憶するための読出データ記憶手段と、
前記読出データ記憶手段からデータを読み出して、当該データを前記無線通信装置に向けて送信するデータ送信手段とをさらに備えていることを特徴とする請求項１記載の遊技場データ管理システム。
【請求項３】
前記固定通信装置は、前記無線通信装置から受信したデータを記憶するための入力データ記憶手段をさらに備えていることを特徴とする請求項１または２に記載の遊技場データ管理システム。
【発明の詳細な説明】
【技術分野】
【０００１】
本発明は、遊技場内に設置された精算機に関するデータを管理するための遊技場データ管理システムに関する。
【背景技術】
【０００２】
最近、パチスロホールやパチンコホールなどの遊技店（遊技場）において、遊技者が金銭と等価な有価価値データの記録された遊技カードを購入し、この購入した遊技カードを遊技機に隣接して配置された台間機に挿入して、その遊技カードに記録された有価価値の範囲内でメダルやパチンコ球などの遊技媒体の貸出しを受けて遊技を行うカード式遊技システムが普及しつつある。
【０００３】
このようなカード式遊技システムでは、遊技店における遊技カードの販売量または使用量に応じたシステム利用料を、カード式システムを管理しているシステム管理会社が遊技店から徴収するようになっている。具体的に説明すると、カード式遊技システムを採用している遊技店には、システム管理会社のセンタ管理装置と電話回線などを介して接続された管理装置が設置されている。管理装置には、カード販売機や台間機がデータ通信可能に接続されており、これらのカード販売機や台間機における遊技カードの販売量や使用量のデータを収集できるようになっている。そして、システム管理会社のセンタ管理装置から管理装置にシステム利用状況の問い合わせがあると、管理装置に収集されたカード販売量やカード使用量のデータが、管理装置からシステム管理会社のセンタ管理装置に返信されるようになっており、システム管理会社は、センタ管理装置に返信されてきたカード販売量やカード使用量のデータに基づいて、遊技カードの販売量または使用量に応じたシステム利用料を遊技店から徴収する。
【０００４】
したがって、システム管理会社のセンタ管理装置に遊技カードの販売量や使用量が過少に報告されるように、遊技店に設置されている管理装置やカード販売機、台間機の制御基板が不正改造されたり、不正交換されたりすると、システム管理会社は大きな損害を被ってしまう。そこで、このような不正行為を防止するため、遊技店に設置されている管理装置、カード販売機および台間機のメンテナンスはシステム管理会社が行うといった取り決めが、システム管理会社と遊技店との間においてなされている。
【発明の概要】
【発明が解決しようとする課題】
【０００５】
遊技店に設置されている管理装置などの各機器に適切なメンテナンスを施すためには、システム管理会社は、その遊技店のシステム状況や各機器の修理履歴などのデータを正確に把握しておかなければならない。また、このようなデータは機器のメンテナンスを行う度に更新する必要があり、このデータ更新は、なるべく早く行われることが好ましい。
本発明の目的は、カード式遊技システムなどに好適であり、遊技機や遊技媒体貸出装置（台間機）などの遊技関連機器に関するデータを正確かつ迅速に更新して管理できる遊技場データ管理システムを提供することである。
【課題を解決するための手段】
【０００６】
前記の目的を達成するための請求項１記載の発明は、遊技場に設置され、有価価値データの記録された記録媒体の残高を精算する精算機と、前記精算機と通信ラインを介して双方向にデータ通信可能に接続され、データを管理するためのデータ管理装置とを含む遊技場データ管理システムにおいて、前記精算機は、ＲＦＩＤ通信機能を有する無線通信装置との間でＲＦＩＤによる無線データ通信が可能な固定通信装置を備え、前記固定通信装置は、前記無線データ通信のための情報を記憶する情報記憶手段と、前記無線通信装置から受信した第１のコードと前記情報記憶手段から読み出した情報とを照合し、それらの一致が確認されると、特定の前記無線通信装置からのアクセスであると判定するコード照合手段と、前記コード照合手段により特定の前記無線通信装置からのアクセスであると判定された場合に、前記無線通信装置から第２のコードを受信し、前記データ管理装置に対して当該第２のコードに応じたデータの送信を要求する信号を前記通信ラインを介して送信する要求信号送信手段とを備え、前記データ管理装置は、前記要求信号送信手段からの信号を受信し、前記第２のコードに応じたデータを前記通信ラインを介して返信するデータ返信手段を備えていることを特徴とする遊技場データ管理システムである。
【０００７】
前記データ管理装置は、遊技店に設置された管理装置であってもよいし、たとえばカード式遊技システムを管理しているシステム管理会社などに設置されたセンタ管理装置であってもよい。
請求項１記載の発明によれば、無線通信装置から固定通信装置にデータを送信できる場合、無線通信装置から固定通信装置にデータを送信し、このデータを固定通信装置からデータ管理装置に送信することにより、無線通信装置からデータ管理装置へのデータ通信を達成できる。
【０００８】
なお、請求項２に記載のように、前記第２のコードに応じたデータは、前記精算機のメンテナンスデータであってもよく、前記固定通信装置は、前記データ管理装置の前記データ返信手段から受信したデータを記憶するための読出データ記憶手段と、前記読出データ記憶手段からデータを読み出して、当該データを前記無線通信装置に向けて送信するデータ送信手段とをさらに備えていてもよい。
【０００９】
データ管理装置で管理されているデータを固定通信装置に取り込んでおけば、この固定通信装置に取り込まれているデータを無線通信装置で読み出すことができる。これにより、たとえば、精算機のメンテナンスを行う作業員は、データ管理装置で管理されている精算機のメンテナンス履歴などを速やかに取得することができ、その取得したメンテナンス履歴に応じた適切な処置を精算機に施すことができる。ゆえに、良好なメンテナンスサービスを顧客に提供することができる。
【００１０】
また、請求項３に記載のように、前記固定通信装置が、前記無線通信装置から受信したデータを記憶するための入力データ記憶手段を含む場合には、無線通信装置から固定通信装置に送信されたデータを、入力データ記憶手段に一旦記憶させた後、任意のタイミングで入力データ記憶手段から読み出してデータ管理装置に送信することができる。
【図面の簡単な説明】
【００１１】
【図１】この発明の一実施形態に係るカード式遊技システムの構成を示すブロック図である。
【図２】遊技機およびこれに対応づけられた台間機の制御回路の構成を示すブロック図である。
【図３】ＲＦＩＤメモリの平面図である。
【図４】ＲＦＩＤメモリの側面図である。
【図５】台間機制御基板の電気的な構成を示すブロック図である。
【図６】ＲＦＩＤメモリの電気的な構成を示すブロック図である。
【図７】ＲＦＩＤリーダ／ライタの電気的な構成を示すブロック図である。
【図８】センタ管理装置からＲＦＩＤリーダ／ライタにデータを取り込む際に行われるデータの送受について説明するための図である。
【図９】ＲＦＩＤリーダ／ライタからセンタ管理装置にデータを送信する際に行われるデータの送受について説明するための図である。
【発明を実施するための形態】
【００１２】
以下では、本発明の実施の形態について、添付図面を参照しつつ詳細に説明する。
図１は、この発明の一実施形態に係る遊技場データ管理システムが適用されたカード式遊技システムの構成を示すブロック図である。このカード式遊技システムは、パチンコホールやパチスロホールなどの遊技店において、金銭と等価な有価価値のデータが記録された遊技カードを購入し、その購入した遊技カードを使用して遊技媒体（パチンコ球またはパチスロメダル）の貸出しを受けるようにしたシステムであり、パチンコホールやパチスロホールなどの遊技店に設置された遊技関連機器およびシステム管理会社に設置されたセンタ管理装置Ｃを含む。
【００１３】
遊技店に設置された遊技関連機器は、たとえば、パチンコ機やパチスロ機などの遊技機１と、遊技カードを受け付けて、その遊技カードに記録されている有価価値の範囲内で遊技媒体を貸し出す台間機２と、投入金額に相当する有価価値を記録した遊技カードを発行（販売）するカード販売機３と、遊技カードに記録されている有価価値の残高を精算して、その残高に相当する金額の貨幣を払い戻すカード精算機４と、たとえばパーソナルコンピュータで構成される管理装置５とを含む。管理装置５は、たとえば公衆電話回線などの通信回線Ｌを介して、システム管理会社のセンタ管理装置Ｃとデータ通信可能に接続されている。
【００１４】
遊技機１および台間機２は、遊技店内において、一対一に対応づけられて交互に並べて配列されることにより遊技機島を構成している。遊技機１とこの遊技機１に対応づけられた台間機２とは、ケーブル６によってデータ通信可能に接続されている。また、遊技機島ごとに中継装置７が設けられていて、この中継装置７に通信ラインＤＬ１を介して台間機２が接続され、一方で、中継装置７が通信ラインＤＬ２を介して管理装置５に接続されることにより、各台間機２と管理装置５とがデータ通信可能に接続されている。通信ラインＤＬ２にはまた、カード販売機３およびカード精算機４が接続されている。
【００１５】
これにより、台間機２、カード販売機３およびカード精算機４から、各機器における遊技カードの使用量や販売量などに関するデータなどを管理装置５に送信することができる。そして、管理装置５は、台間機２などから送られてくるデータを集計してシステム利用状況データとして管理し、このシステム利用状況データを、通信回線Ｌを介してセンタ管理装置Ｃに送信することができる。また、センタ管理装置Ｃで管理されているデータを、通信回線Ｌを介して管理装置５に取り込むこともできる。
【００１６】
さらに、この実施形態では、専用のＲＦＩＤ(Radio Frequency Identification)リーダ／ライタ９を用いて、このＲＦＩＤリーダ／ライタ９と台間機２との間で無線データ通信ができるようになっている。これにより、ＲＦＩＤリーダ／ライタ９から種々のデータを台間機２に向けて送信することができ、さらに、この送信データを通信ラインＤＬ１、中継装置７、通信ラインＤＬ２、管理装置５および通信回線Ｌを介してセンタ管理装置Ｃに送信することができる。また、センタ管理装置Ｃから通信回線Ｌを介して管理装置５に取り込まれたデータなどを、通信ラインＤＬ２、中継装置７、通信ラインＤＬ１および台間機２を介して、ＲＦＩＤリーダ／ライタ９に読み出すことができる。
【００１７】
図２は、遊技機１およびこれに対応づけられた台間機２の制御回路の構成を示すブロック図である。なお、以下では、遊技機１の一例としてパチンコ機を取り上げて説明する。
パチンコ機１には、パチンコ機１における遊技に関する各部を制御するための主制御基板１１と、パチンコ球を機内から払い出すパチンコ球払出装置１２を制御するためのパチンコ球払出装置基板１３と、パチンコ球の貸出しに関する各部を制御するための貸出基板１４と、台間機２との通信を制御するためのインタフェイス基板１５とが備えられている。インタフェイス基板１５には、主制御基板１１、パチンコ球払出装置基板１３および貸出基板１４が接続されている。
【００１８】
一方、台間機２には、制御中枢としてのＣＰＵや制御プログラムを記憶したメモリなどを含む台間機制御基板２１が備えられている。この台間機制御基板２１は、ケーブル６を介してパチンコ機１のインタフェイス基板１５に接続されていて、これにより、台間機制御基板２１と主制御基板１１、パチンコ球払出装置基板１３および貸出基板１４との間で、インタフェイス基板１５を介して信号の送受ができるようになっている。
【００１９】
台間機制御基板２１は、パチンコ球を貸し出す機能（遊技媒体貸出機能）を達成するために、パチンコ機１の主制御基板１１、パチンコ球払出装置基板１３および貸出基板１４との間で信号の送受を行い、遊技カードの挿入および排出に関するカード挿入／排出部２２の各部を制御する。
具体的には、台間機制御基板２１は、パチンコ球の貸出しを指示するためのパチンコ球貸出ボタン１６や、台間機２内に挿入された遊技カードの返却を指示するためのカード返却ボタン１７の操作などに応答して貸出基板１４から出力される信号を受け取る。そして、この貸出基板１４からの信号などに基づいて、パチンコ球の貸出しが可能であるか否かを表すための貸出可否表示ランプ１８や、および遊技カードに記録されている有価価値の残高を表示するためのカード残高表示部１９を制御するための信号を貸出基板１４に与える。また、パチンコ球払出装置１２を制御するための信号をパチンコ球払出装置基板１３に与える。さらに、台間機２内に遊技カードを挿入可能であるか否かを表すためのカード挿入可否表示ランプ２３や、台間機２内に遊技カードが挿入されていることを表すためのカード挿入中ランプ２４の点灯制御を行う。
【００２０】
また、この実施形態において、台間機２は、図示しない貨幣投入口から投入された貨幣の金額に応じた遊技カードを販売（発行）する機能も有している。この遊技カード販売機能を達成するため、台間機制御基板２１には、台間機２内に貨幣を投入できるか否かを表すための貨幣投入可否表示ランプ２６や、台間機２内に貨幣が投入されていることを表すための貨幣投入中ランプ２７などを含む貨幣投入部２５が接続されている。
【００２１】
貨幣投入可否表示ランプ２６は、たとえば、上記貨幣投入口から台間機２内に貨幣を投入可能なときに点灯される。貨幣投入可否表示ランプ２６の点灯中に貨幣が投入されると、貨幣投入中ランプ２７が点灯され、その投入された貨幣の種別が判別される。そして、その貨幣の金額に相当する有価価値のデータが記録された遊技カードが発行され、この発行された遊技カードが、台間機２に設けられたカード挿入／排出口（図示せず）から排出される。
【００２２】
台間機制御基板２１には、通信ラインＤＬ１が接続されており、上述のようにして遊技カードが発行されると、その発行された遊技カードのデータ（たとえば、遊技カードに固有のＩＤ番号（識別番号）データ、遊技カードの額面データ、発行日時や発行店などのデータ）が台間機制御基板２１から管理装置５（図１参照）に送信される。管理装置５は、こうして台間機制御基板２１などから受信したデータを集計して、その遊技店におけるシステム利用状況データとして管理する。
【００２３】
また、台間機制御基板２１には、ＲＦＩＤリーダ／ライタ９との間において無線データ通信を行うことができるＲＦＩＤメモリ８が実装されている。具体的には、図３および図４に示すように、ＲＦＩＤメモリ８は、樹脂封止されてパッケージ８３に納められたＩＣチップ８１と、パッケージ８３の表面に配設された送受信アンテナ８２とを有していて、パッケージ８３から突出した複数本（たとえば３２本）のリードピン８４を、台間機制御基板２１上に配置されたソケットＳに差し込むことにより実装されている。
【００２４】
ＩＣチップ８１は、ＲＦＩＤリーダ／ライタ９との間におけるデータの送受信を制御する機能、および一定量のデータを記憶する機能を有する機能を有する集積回路チップである。送受信アンテナ８２は、たとえば、銅などの導電性ペーストを用いたスクリーン印刷技術でコイル状に形成されたループアンテナであり、その両端はパッケージ８３内のＩＣチップ８１に接続されている。なお、この送受信アンテナ８２は、パッケージ８３の表面に限らず、パッケージ８３の内部に形成されてもよいし、ソケットＳの表面または内部に形成されてもよい。また、台間機制御基板２１の表面または内部に形成されてもよい。
【００２５】
図５は、台間機制御基板２１の電気的構成を示すブロック図である。台間機制御基板２１には、制御の中枢となるＣＰＵ２１１、このＣＰＵ２１１による制御時に必要なデータが書き込まれる２１２および動作プログラムが記憶されたＲＯＭ２１３が備えられており、これらのＣＰＵ２１１、ＲＡＭ２１２およびＲＯＭ２１３は、バス２１４を介して相互に接続されている。
【００２６】
バス２１４にはまた、台間機制御基板２１上に配設されたソケットＳ（図３または図４参照）が接続されており、このソケットＳを介して、ソケットＳに装着されたＲＦＩＤメモリ８が接続されている。バス２１４にはさらに、Ｉ／Ｏ（Input/Output）ポート２１５が接続されている。Ｉ／Ｏポート２１５には、中継装置７との間でデータの送受信を行うための通信ラインＤＬ１およびパチンコ機１との間でデータの送受信を行うためのケーブル６とが接続されている。これにより、ＲＦＩＤメモリ８は、ソケットＳ、バス２１４、Ｉ／Ｏポート２１５および通信ラインＤＬ１を介して中継装置７とデータの送受信を行うことができ、さらに、通信ラインＤＬ２、管理装置５および通信回線Ｌを介して、システム管理会社に設置されたセンタ管理装置Ｃ（図１参照）との間でデータの送受信を行うことができる。
【００２７】
図６は、ＲＦＩＤメモリ８の電気的な構成を示すブロック図である。ＲＦＩＤメモリ８のＩＣチップ８１には、送受信アンテナ８２で受信された変調波（受信波）を復調するための復調部８１１が備えられている。復調部８１１には、周波数発振部８１２から周波数ｆ１の基準位相信号が与えられており、復調部８１１は、送受信アンテナ８２で受波からの変調波と周波数発振部８１２からの基準位相信号とを比較して、受信した変調波に含まれている信号成分を取り出す。こうして取り出された信号成分は、フィルタ８１３で予め定める周波数帯域以外の周波数成分が除去された後、Ａ／Ｄ変換部８１４に与えられてディジタルデータ（受信データ）に変換される。
【００２８】
Ａ／Ｄ変換部８１４によるＡ／Ｄ変換後の受信データは、たとえばマイクロプロセッサからなる信号処理部８１５に与えられるようになっている。信号処理部８１５には、この信号処理部８１５には、たとえばフラッシュメモリなどのデータ書換および追記可能なメモリからなる情報記憶部８１６が接続されている。この情報記憶部８１６には、第１セキュリティコード、第２セキュリティコード、第３セキュリティコードおよび第４セキュリティコードが格納されている。また、信号処理部８１５は、台間機制御基板２１のバス２１４に接続されており、このバス２１４および通信ラインＤＬ１（図５参照）を介して、中継装置７（図１参照）に向けてデータを送信することができる。また、信号処理部８１５は、通信ラインＤＬ１を介して台間機制御基板２１に送られてくるデータを信号処理部８１５に取り込むことができる。
【００２９】
信号処理部８１５は、信号処理部８１５から送信すべきデータおよび信号処理部８１５に取り込まれたデータを情報記憶部８１６に格納したり、この情報記憶部８１６に格納されているデータやコードを、Ａ／Ｄ変換部８１４から受信データが入力されたことなどに応答して読み出し、この読み出したデータを変調部８１７に与えたりする。
変調部８１７には、周波数発振部８１８から所定周波数ｆ２の搬送波が与えられている。変調部８１７は、この周波数ｆ２の搬送波を信号処理部８１５から与えられるデータによりＢＰＳＫ（Binary Phase Shift Keying ：２進位相変調）方式で変調して変調波を作成し、その作成した変調波を送信部８１９に与える。送信部８１９に与えられた変調波は、送信部８１９で適度に増幅された後、送受信アンテナ８２からＲＦＩＤリーダ／ライタ９に向けて送出される。
【００３０】
上述のようなＩＣチップ８１の各部の動作は、送受信アンテナ８２で受信した電波から作成された電力を利用して行われる。すなわち、送受信アンテナ８２には、同調用コイルを含む共振回路（図示せず）が備えられており、送受信アンテナ８２が電波を受信すると、その受信波によって同調用コイルを貫く磁束が変化して、上記共振回路に交流電圧が発生する。そして、この発生した交流電圧は、ＩＣチップ８１に備えられたＡＣ／ＤＣコンバータ８２１で直流電圧に変換された後、レギュレータ８２２で一定電圧以下に（たとえば５ボルト以下）に降圧されて、信号処理部８１５などの各部に動作電圧として与えられる。したがって、台間機２に電源が投入されていない状態でも、ＲＦＩＤメモリ８とＲＦＩＤリーダ／ライタ９との間でデータの送受信を行うことができる。
【００３１】
なお、台間機２に電源が投入されているときには、台間機２から供給される電力によりＩＣチップ８１の動作が行われてもよい。
図７は、ＲＦＩＤリーダ／ライタ９の電気的な構成を示すブロック図である。ＲＦＩＤリーダ／ライタ９には、たとえばマイクロプロセッサからなる信号処理部９１１が備えられている。この信号処理部９１１には、たとえばＲＯＭからなる情報記憶部９１２が接続されている。この情報記憶部９１２には、アクセスコード、照合コード、リードコマンドコード、ライトコマンドコードおよびライト完了コードが格納されている。
【００３２】
アクセスコードは、ＲＦＩＤメモリ８の情報記憶部８１６（図５参照）に格納されている第１セキュリティコードと同一のコードであり、ＲＦＩＤリーダ／ライタ９がＲＦＩＤメモリ８にアクセスする際に、信号処理部９１１により情報記憶部９１２から読み出されて変調部９１３に与えられる。
照合コードは、ＲＦＩＤメモリ８の情報記憶部８１６に格納されている第２セキュリティコードと同一のコードであり、ＲＦＩＤメモリ８が正規のものであるか否かを判別するために、信号処理部９１１によって情報記憶部９１２から読み出されて使用される。
【００３３】
リードコマンドコードは、ＲＦＩＤメモリ８に対してデータの送信を要求する際に、信号処理部９１１により情報記憶部９１２から読み出されて変調部９１３に与えられる。
ライトコマンドコードは、ＲＦＩＤメモリ８の情報記憶部８１６に格納されている第３セキュリティコードと同一のコードであり、センタ管理装置Ｃ（図１参照）に送信すべきデータをＲＦＩＤメモリ８に送信する際に、信号処理部９１１により情報記憶部９１２から読み出されて変調部９１３に与えられる。
【００３４】
ライト完了コードは、ＲＦＩＤメモリ８の情報記憶部８１６に格納されている第４セキュリティコードと同一のコードであり、ＲＦＩＤメモリ８によるセンタ管理装置Ｃへのデータ送信が完了したか否かを判別するために、信号処理部９１１によって情報記憶部９１２から読み出されて使用される。
また、信号処理部９１１には、ＲＦＩＤリーダ／ライタ９の表面に配置されたテンキーやファンクションキーなどの入力キー９２が接続されている。入力キー９２は、ＲＦＩＤメモリ８に書き込むべきデータを入力する際に操作されるものであり、この入力キー９２の操作により入力されたデータは、情報記憶部９１２から読み出されたライトコマンドコードとともに変調部９１３に与えられる。
【００３５】
変調部９１３には、周波数発振部９１４から周波数ｆ１の搬送波が与えられており、変調部９１３は、この周波数ｆ１の搬送波を信号処理部９１１から与えられるデータによってＢＰＳＫ方式で変調して変調波を作成し、その作成した変調波を送信部９１５に与える。送信部９１５に与えられた変調波は、この送信部９１５で適度に増幅された後、送受信アンテナ９３から送出される。
【００３６】
また、ＲＦＩＤリーダ／ライタ９には、送受信アンテナ９３で受信した変調波（受信波）を復調するための復調部９１６が備えられている。復調部９１６には、周波数発振部９１７からＲＦＩＤメモリ８で用いられている搬送波と同じ周波数ｆ２の基準位相信号が与えられており、復調部９１６は、送受信アンテナ９３からの変調波と周波数発振部９１７からの基準位相信号とを比較して、受信した変調波に含まれている信号成分を取り出す。こうして取り出された信号成分は、フィルタ９１８で予め定める周波数帯域以外の周波数成分が除去された後、Ａ／Ｄ変換部９１９に与えられてディジタルデータ（受信データ）に変換される。
【００３７】
Ａ／Ｄ変換部９１９によるＡ／Ｄ変換後の受信データは、Ａ／Ｄ変換部９１９から信号処理部９１１に与えられる。信号処理部９１１は、Ａ／Ｄ変換部９１９から受信データが与えられると、情報記憶部９１２から照合コードまたはライト完了コードを読み出して、その読み出した照合コードまたはライト完了コードと受信データとが一致するか否かを判別したり、このＲＦＩＤリーダ／ライタ９の表面に配置されているディスプレイ９４に受信データを表示したりする。ディスプレイ９４は、たとえば、液晶表示器（LCD:Liquid Crystal Display）を適用することができる。
【００３８】
図８は、システム管理会社のセンタ管理装置ＣからＲＦＩＤリーダ／ライタ９にデータを取り込む際に行われるデータの送受について説明するための図である。このＲＦＩＤメモリ８からのデータの取込みは、たとえば、台間機２のメンテナンス作業を開始する前に行われる。
台間機２のメンテナンスを行う作業員は、たとえば、ＲＦＩＤリーダ／ライタ９の入力キー９２（図７参照）を操作して、ＲＦＩＤメモリ８に向けてアクセスコードを送信すべき旨の指示を入力する。すると、ＲＦＩＤリーダ／ライタ９の情報記憶部９１２からアクセスコードが読み出されて、このアクセスコードで搬送波を変調して作成された変調波がＲＦＩＤメモリ８に向けて送信される。
【００３９】
ＲＦＩＤリーダ／ライタ９から送信された変調波は、ＲＦＩＤメモリ８に受信されてディジタルデータ（この場合は、アクセスコード）に復調される。これにより、ＲＦＩＤメモリ８によるデータ受信が達成され、この後は、情報記憶部８１６から第１セキュリティコードが読み出されて、この読み出された第１セキュリティコードと受信データの異同が判別される。ＲＦＩＤリーダ／ライタ９から送信されたアクセスコードは、ＲＦＩＤメモリ８の情報記憶部８１６に格納されている第１セキュリティコードと同一のコードであるから、この場合、ＲＦＩＤメモリ８が受信したデータと第１セキュリティコードとは一致する。
【００４０】
受信データと第１セキュリティコードとの一致が確認されると、ＲＦＩＤリーダ／ライタ９からのアクセスであると判断されて、ＲＦＩＤメモリ８の情報記憶部８１６から第２セキュリティコードが読み出され、この第２セキュリティコードで搬送波を変調して作成された変調波がＲＦＩＤリーダ／ライタ９に向けて送信される。
ＲＦＩＤメモリ８から送信された変調波は、ＲＦＩＤリーダ／ライタ９に受信されてディジタルデータ（この場合は、第２セキュリティコード）に復調される。そして、情報記憶部９１２から照合コードが読み出されて、この読み出された照合コードと受信データの異同が判別される。情報記憶部９１２に格納されている照合コードは、ＲＦＩＤメモリ８の情報記憶部８１６に格納されている第２セキュリティコードと同一のコードであるから、この場合、ＲＦＩＤリーダ／ライタ９が受信したデータと照合コードとは一致する。
【００４１】
ＲＦＩＤリーダ／ライタ９がＲＦＩＤメモリ８から受信したデータと照合コードとの一致が確認されると、ＲＦＩＤメモリ８は正規のものであると判定され、ＲＦＩＤメモリ８からメンテナンスデータの読出しが可能であると判断される。そして、その旨の表示（たとえば「ＯＫ」のような文字など）が、ＲＦＩＤリーダ／ライタ９のディスプレイ９４（図７参照）に表示される。
【００４２】
一方、ＲＦＩＤリーダ／ライタ９以外の装置からＲＦＩＤメモリ８にアクセスがあった場合には、この装置からＲＦＩＤメモリ８が受信したデータとＲＦＩＤメモリ８の情報記憶部８１６に格納されている第１セキュリティコードとが一致しない。このような場合には、たとえば、情報記憶部８１６からエラーを表すデータ（エラーデータ）が読み出されて、このエラーデータで搬送波が変調されることにより作成された変調波が送出される。そして、ＲＦＩＤリーダ／ライタ９以外の装置との交信が強制終了される。これにより、ＲＦＩＤリーダ／ライタ９以外の装置によって、ＲＦＩＤメモリ８からデータが読み出されることを防止できる。
【００４３】
なお、上記エラーデータは必ずしも送信される必要はなく、ＲＦＩＤメモリ８が受信したデータと第１セキュリティコードとが異なる場合などには、ＲＦＩＤメモリからのデータ送信が行われないようにしてもよい。
また、ＲＦＩＤメモリ８の不正交換や記憶内容の書換えが行われて、ＲＦＩＤメモリ８の情報記憶部８１６に第１セキュリティコードと異なるデータが格納されている場合、ＲＦＩＤリーダ／ライタ９から受信したアクセスコードとＲＦＩＤメモリ８の情報記憶部８１６に記憶されているデータとは一致しないので、ＲＦＩＤメモリ８からＲＦＩＤリーダ／ライタ９に向けて第２セキュリティコードが返信されてくることはない。この場合、ＲＦＩＤメモリ８に向けてアクセスコードが送信されてから所定時間が経過した時点で、ＲＦＩＤメモリ８は正規のものでないと判断され、たとえば、ＲＦＩＤリーダ／ライタ９のディスプレイ９４に、ＲＦＩＤメモリ８が正規のものでない旨が表示される。
【００４４】
ＲＦＩＤメモリ８が正規のものであり、ＲＦＩＤメモリ８からメンテナンスデータの読出しが可能である旨がディスプレイ９４に表示されると、このディスプレイ９４の表示を見た作業員は、ＲＦＩＤリーダ／ライタ９の入力キー９２を操作して、ＲＦＩＤメモリ８から取り込みたいデータ（以下「要求データ」という。）を表すデータ種別コードを入力する。すると、ＲＦＩＤリーダ／ライタ９の情報記憶部９１２からリードコマンドコードが読み出されて、この読み出されたリードコマンドコードに入力キー９２から入力されたデータ種別コードが付加され、これが変調されてＲＦＩＤメモリ８に向けて送信される。
【００４５】
ＲＦＩＤリーダ／ライタ９から送信された変調波は、ＲＦＩＤメモリ８に受信されてディジタルデータに復調される。そして、その受信データに含まれているデータ種別コードがＲＦＩＤメモリ８で判別されて、このデータ種別コードに応じたデータ送信要求信号が、ＲＦＩＤメモリ８から通信ラインＤＬ１に送り出される。通信ラインＤＬ１に送り出されたデータ送信要求信号は、中継装置７、通信ラインＤＬ２、管理装置５および通信回線Ｌを介して、センタ管理装置Ｃに送信される。これを受けたセンタ管理装置Ｃは、データ送信要求信号に応じたデータ（要求データ）をＲＦＩＤメモリ８に向けて返信する。
【００４６】
センタ管理装置ＣからＲＦＩＤメモリ８が受信した要求データは、情報記憶部８１６に一旦格納され、その後、情報記憶部８１６から読み出されてＲＦＩＤリーダ／ライタ９に向けて送信される。そして、ＲＦＩＤリーダ／ライタ９が受信した要求データは、ＲＦＩＤリーダ／ライタ９のディスプレイ９４に表示される。また、ＲＦＩＤリーダ／ライタ９にプリンタが接続されている場合には、入力キー９２を適当に操作して、ＲＦＩＤリーダ／ライタ９が受信した要求データを用紙などに印字出力させることができる。
【００４７】
なお、要求データは、センタ管理装置ＣからＲＦＩＤメモリ８に受信された後、情報記憶部８１６に格納されずに、直ちにＲＦＩＤリーダ／ライタ９に向けて送信されてもよい。
図９は、ＲＦＩＤリーダ／ライタ９からシステム管理会社のセンタ管理装置Ｃにデータを送信する際に行われるデータの送受について説明するための図である。センタ管理装置Ｃへのデータ送信は、たとえば、台間機２が遊技店に納入されて設置された際に、台間機２の納入に関するデータ（たとえば、台間機２の納入設置状況、納入日時、納入作業事項および作業員（担当者）コードなど）を送信するために行われる。また、以下に説明するように、台間機２のメンテナンス作業が終了した後にメンテナンスデータを送信するために行われる。
【００４８】
まず、台間機２のメンテナンスを行った作業員がＲＦＩＤリーダ／ライタ９の入力キー９２（図７参照）を操作して、ＲＦＩＤリーダ／ライタ９からＲＦＩＤメモリ８に向けてアクセスコードを送信する。すると、図８を参照して説明した場合（ＲＦＩＤメモリ８からＲＦＩＤリーダ／ライタ９にデータを取り込む場合）と同様に、ＲＦＩＤメモリ８が正規のものであれば、ＲＦＩＤメモリ８からＲＦＩＤリーダ／ライタ９に第２セキュリティコードが返信されてくる。
【００４９】
ＲＦＩＤリーダ／ライタ９が第２セキュリティコードを受信し、ＲＦＩＤメモリ８が正規のものであることが確認されると、その旨の表示（たとえば「ＯＫ」のような文字など）が、ＲＦＩＤリーダ／ライタ９のディスプレイ９４（図６参照）に表示される。
その後、このディスプレイ９４の表示を見た作業員は、ＲＦＩＤリーダ／ライタ９の入力キー９２を操作して、たとえば、台間機２の保守点検状況、故障原因、修理内容（修理作業事項）、次期対策事項、処理日時、作業員（担当者）コードなどのメンテナンスデータを入力する。すると、ＲＦＩＤリーダ／ライタ９の情報記憶部９１２からライトコマンドコードが読み出されて、このライトコマンドコードに入力キー９２から入力されたメンテナンスデータが付加されることにより送信データが作成される。そして、この作成された送信データで搬送波を変調して作成された変調波がＲＦＩＤメモリ８に向けて送信される。
【００５０】
ＲＦＩＤリーダ／ライタ９から送信された変調波は、ＲＦＩＤメモリ８に受信されてディジタルデータに復調される。この後、ＲＦＩＤメモリ８の情報記憶部８１６から第３セキュリティコードが読み出されて、この読み出された第３セキュリティコードが受信データ中に含まれているか否かが調べられる。ＲＦＩＤリーダ／ライタ９の情報記憶部９１２に格納されているライトコマンドコードは、ＲＦＩＤメモリ８の情報記憶部８１６に格納されている第３セキュリティコードと同一のコードであるから、この場合、ＲＦＩＤメモリ８が受信したデータ中に第３セキュリティコードが含まれる。
【００５１】
ＲＦＩＤメモリ８が受信したデータ中に第３セキュリティコードが含まれている場合、ＲＦＩＤメモリ８では、メンテナンスデータがＲＦＩＤリーダ／ライタ９から送られてきたと判断される。そして、ＲＦＩＤメモリ８が受信したデータから第３セキュリティコード（ライトコマンドコード）を除く部分が、センタ管理装置Ｃに送信すべきデータとして情報記憶部８１６に一旦格納され、その後、情報記憶部８１６から読み出されて通信ラインＤＬ１に送り出される。通信ラインＤＬ１に送り出されたデータ（メンテナンスデータ）は、中継装置７、通信ラインＤＬ２、管理装置５および通信回線Ｌを介して、センタ管理装置Ｃに送信される。これにより、メンテナンスデータのセンタ管理装置Ｃへの送信が達成される。
【００５２】
なお、メンテナンスデータは、ＲＦＩＤリーダ／ライタ９からＲＦＩＤメモリ８に送信された後、情報記憶部８１６に格納されずに、直ちにセンタ管理装置Ｃに向けて送信されてもよい。
一方、ＲＦＩＤメモリ８が受信したデータ中に第３セキュリティコード（ライトコマンドコード）が含まれない場合には、ＲＦＩＤリーダ／ライタ９に異常があると判断される。このような場合には、たとえば、情報記憶部８１６からエラーを表すデータ（エラーデータ）が読み出されて、このエラーデータで搬送波が変調されることにより作成された変調波が送出される。そして、ＲＦＩＤリーダ／ライタ９以外の装置との交信が強制終了される。これにより、ＲＦＩＤリーダ／ライタ９に異常が発生していることを作業員に認識させることができ、また、異常なデータなどがセンタ管理装置Ｃに送信されることを防止できる。
【００５３】
なお、上記エラーデータは必ずしも送信される必要はなく、ＲＦＩＤメモリ８が受信したデータ中に第３セキュリティコードが含まれない場合には、それ以降、ＲＦＩＤメモリ８からのデータ送信が行われないようにしてもよい。
センタ管理装置Ｃへのデータ送信が完了すると、情報記憶部８１６から第４セキュリティコードが読み出される。そして、この読み出された第４セキュリティコードで搬送波を変調して作成された変調波が、ＲＦＩＤメモリ８からＲＦＩＤリーダ／ライタ９に向けて送信される。
【００５４】
ＲＦＩＤメモリ８から送信された変調波は、ＲＦＩＤリーダ／ライタ９に受信されてディジタルデータ（この場合は、第４セキュリティコード）に復調される。そして、情報記憶部９１２からライト完了コードが読み出されて、この読み出されたライト完了コードと受信データの異同が判別される。情報記憶部９１２に格納されているライト完了コードは、ＲＦＩＤメモリ８の情報記憶部８１６に格納されている第４セキュリティコードと同一のコードであるから、この場合、ＲＦＩＤリーダ／ライタ９が受信したデータとライト完了コードとは一致する。
【００５５】
ＲＦＩＤリーダ／ライタ９が受信したデータとライト完了コードとの一致が確認されると、ＲＦＩＤメモリ８へのメンテナンスデータの書込みが完了したと判断され、たとえば、「ＯＫ」のような文字、ＲＦＩＤメモリ８に固有のＩＤコードまたはＲＦＩＤメモリ８に書き込んだメンテナンスデータなどが、ＲＦＩＤリーダ／ライタ９のディスプレイ９４に表示される。
【００５６】
一方、ＲＦＩＤメモリ８に向けてメンテナンスデータが送信されてから所定時間が経過しても、ＲＦＩＤメモリ８からＲＦＩＤリーダ／ライタ９に第４セキュリティコードが返信されてこない場合や、ＲＦＩＤメモリ８から受信したデータとライト完了コードとが一致しない場合には、センタ管理装置Ｃへのデータ送信が上手く行われなかったと判断されて、その旨の表示やデータ送信が行われなかった理由などがＲＦＩＤリーダ／ライタ９のディスプレイ９４に出力される。
【００５７】
なお、ＲＦＩＤメモリ８の情報記憶部８１６には、たとえば、このＲＦＩＤメモリ８が備えられた台間機２の工場出荷時に、この台間機２に備えられた台間機制御基板２１に関するデータ（たとえば、台間機制御基板２１の製造番号や製造年月日など）を書き込んでおくこともできる。この工場出荷時に書き込まれたデータは、台間機２が遊技店に納入されて設置された際に行われるデータ送信の際に、台間機２の納入に関するデータとともにセンタ管理装置Ｃに向けて送信されることが好ましい。
【００５８】
以上のようにこの実施形態によれば、ＲＦＩＤリーダ／ライタ９から、ＲＦＩＤメモリ８などを介して、システム管理会社のセンタ管理装置Ｃにデータを送信することができる。これにより、システム管理会社は、遊技店に設置された遊技関連機器のメンテナンスが行われた直後に、そのメンテナンスに関するデータなどを取得することができる。ゆえに、システム管理会社は、遊技店に設置された遊技関連機器に関するデータなどを正確かつ迅速に管理することができる。
【００５９】
また、この実施形態によれば、センタ管理装置Ｃで管理されているデータをＲＦＩＤリーダ／ライタ９に取り込むことができる。これにより、システム管理会社から派遣された作業員は、遊技関連機器のメンテナンス履歴などを速やかに取得することができ、その取得したメンテナンス履歴に応じた適切な処置を遊技関連機器に施すことができる。ゆえに、システム管理会社は、良好なメンテナンスサービスを顧客に提供することができる。
【００６０】
また、ＲＦＩＤメモリ８は、専用のＲＦＩＤリーダ／ライタ９との間で無線によるデータの送受信を行うことができ、ＲＦＩＤメモリ８とＲＦＩＤリーダ／ライタ９との間でセキュリティコードを交信して、ＲＦＩＤメモリ８が正規のものであると判別された場合にのみ、ＲＦＩＤリーダ／ライタ９によりメンテナンスデータの読出しおよび書込みを行うことができるようになっている。したがって、ＲＦＩＤメモリ８とＲＦＩＤリーダ／ライタ９との間でデータ交信を行うことによって、台間機制御基板２１が正規のものであるか否かを判別でき、台間機制御基板２１の不正改造・交換を確実に発見することができる。
【００６１】
なお、台間機制御基板２１の不正改造・交換を未然に防止するために、台間機制御基板２１は、ケース本体とケース蓋とからなる基板ケース２８（図２参照）内に収容されて、ケース本体とケース蓋とには、剥離痕跡を残すことができる封印シールが跨って貼り付けられることが好ましい。
また、この発明は、他の形態で実施することも可能である。たとえば、上述の実施形態では、この発明に係るＲＦＩＤメモリ８が台間機２に設けられた場合を例にあげたが、ＲＦＩＤメモリ８は、遊技機１、カード販売機３、カード精算機４または管理装置５など、遊技店内に設置される台間機２以外の遊技関連機器に備えられ、その遊技関連機器を介して、ＲＦＩＤリーダ／ライタ９とセンタ管理装置Ｃとの間におけるデータの送受信が達成されてもよい。
【００６２】
また、上述の実施形態では、ＲＦＩＤメモリ８の情報記憶部８１６が、たとえばフラッシュメモリで構成されるとしたが、ＥＥＰＲＯＭなどのデータ書換および追記可能なメモリが採用されてもよい。また、ＷＯＲＭ(Write-Once/Read-Many)が採用されてもよい。さらには、書換不能型のメモリと書換・追記可能型のメモリとが組み合わされて情報記憶部８１６が構成されてもよい。
【００６３】
さらに、センタ管理装置Ｃからのデータの取込みは、ＲＦＩＤリーダ／ライタ９に限らず、読出専用のＲＦＩＤリーダにより行われてもよい。この場合、読出専用のＲＦＩＤリーダを遊技店の店員などが所有していれば、台間機２などの遊技関連機器に異常が生じた場合などに、その遊技関連機器のメンテナンス履歴を確認することができる。
また、上述の実施形態では、ＲＦＩＤメモリ８がＲＦＩＤリーダ／ライタ９からリードコマンドコードおよびデータ種別コードを受信したことに応答して、ＲＦＩＤメモリからセンタ管理装置Ｃにデータ送信要求信号が送信され、さらに、このデータ送信要求信号をセンタ管理装置Ｃが受信したことに応答して、データ送信要求信号に応じたデータ（要求データ）がＲＦＩＤメモリ８に返信されるとしたが、ＲＦＩＤリーダ／ライタ９によるアクセスに関係なく、ＲＦＩＤメモリ８がセンタ管理装置Ｃにデータ送信要求信号を定期的に送信し、これに応答して、センタ管理装置Ｃで管理されている最新のデータがＲＦＩＤメモリ８に返信されるようにしてもよい。この場合、センタ管理装置ＣからＲＦＩＤメモリ８に送られてくるデータは、ＲＦＩＤメモリ８の情報記憶部８１６に格納され、ＲＦＩＤリーダ／ライタ９からリードコマンドコードおよびデータ種別コードを受信したことに応答して、情報記憶部８１６から読み出されてＲＦＩＤリーダ／ライタ９に返信されるとよい。
【００６４】
さらに、センタ管理装置Ｃに送信すべきメンテナンスデータなどは、ＲＦＩＤリーダ／ライタ９からＲＦＩＤメモリ８に送信されて、ＲＦＩＤメモリ８の情報記憶部８１６に一旦格納された後、直ちに情報記憶部８１６から読み出されてセンタ管理装置Ｃに送信されてもよいし、一定時間が経過するごとに、情報記憶部８１６から読み出されてセンタ管理装置Ｃに送信されてもよい。
【００６５】
さらには、上述の実施形態では、ＲＦＩＤリーダ／ライタ９とセンタ管理装置Ｃとの間でデータの送受信を行う場合を例にとったが、たとえば、遊技店に設置された管理装置５で管理しているデータをＲＦＩＤリーダ／ライタ９に取り込んだり、ＲＦＩＤリーダ／ライタ９からデータを送信して、管理装置５で管理されているデータの内容を書き換えたり追記したりすることも可能である。
【００６６】
その他、特許請求の範囲に記載された事項の範囲内で種々の設計変更を施すことが可能である。
【符号の説明】
【００６７】
４      カード精算機（精算機）
５      管理装置（データ管理装置、データ返信手段）
８      ＲＦＩＤメモリ（固定通信装置）
８１    ＩＣチップ（コード照合手段、要求信号送信手段、データ送信手段）
８１６  情報記憶部（情報記憶手段、入力データ記憶手段、読出データ記憶手段）
９      ＲＦＩＤリーダ／ライタ（無線通信装置）
Ｃ      センタ管理装置（データ管理装置、データ返信手段）
ＤＬ２  通信ライン
【図１】
0004583491.tif 000002
【図２】
0004583491.tif 000003
【図３】
0004583491.tif 000004
【図４】
0004583491.tif 000005
【図５】
0004583491.tif 000006
【図６】
0004583491.tif 000007
【図７】
0004583491.tif 000008
【図８】
0004583491.tif 000009
【図９】
0004583491.tif 000010